(57)【要約】  空気調和装置は、室内機と、室内機と通信するリモートコントローラと、を備え、リモートコントローラは、操作を受け付ける操作部と、操作部で受け付ける操作を無効にする操作ロックモードを実施する制御部とを含み、操作部は、室内機の電源のＯＮとＯＦＦとを切り替える第１の操作部と、操作ロックモードのモードＯＮとモードＯＦＦとを切り替える第２の操作部とを含み、制御部は、室内機の電源がＯＦＦである場合に第２の操作部によってモードＯＮの操作がされたとき、操作ロックモードを実行する。
2018163313.tif 000002
【特許請求の範囲】
【請求項１】
室内機と、
前記室内機と通信するリモートコントローラと、
を備え、
前記リモートコントローラは、操作を受け付ける操作部と、前記操作部で受け付ける操作を無効にする操作ロックモードを実施する制御部とを含み、
前記操作部は、前記室内機の電源のＯＮとＯＦＦとを切り替える第１の操作部と、前記操作ロックモードのモードＯＮとモードＯＦＦとを切り替える第２の操作部とを含み、
前記制御部は、前記室内機の前記電源が前記ＯＦＦである場合に前記第２の操作部によって前記モードＯＮの操作がされたとき、前記操作ロックモードを実行する
空気調和装置。
【請求項２】
前記室内機は、複数の運転モードを実行し、
前記操作部は、前記複数の運転モードに含まれる第１の運転モードと、前記複数の運転モードに含まれ、前記第１の運転モードとは異なる第２の運転モードとを切り替える第３の操作部を更に含み、
前記操作ロックモードでは、前記第３の操作部で受け付ける操作のみを無効にする
請求項１に記載の空気調和装置。
【請求項３】
前記リモートコントローラは、表示部を更に含み、
前記表示部は、前記操作ロックモードの実行中に、前記第３の操作部の操作がされたとき、前記操作ロックモードが前記モードＯＮである旨を表示する
請求項２に記載の空気調和装置。
【請求項４】
前記制御部は、前記室内機の前記電源が前記ＯＮである場合に前記第２の操作部によって前記モードＯＮの操作がされたとき、前記操作ロックモードを実行しない
請求項１〜３のいずれか一項に記載の空気調和装置。
【請求項５】
室内機と通信するリモートコントローラであって、
操作を受け付ける操作部と、
前記操作部で受け付ける操作を無効にする操作ロックモードを実施する制御部と、
を備え、
前記操作部は、前記室内機の電源のＯＮとＯＦＦとを切り替える第１の操作部と、前記操作ロックモードのモードＯＮとモードＯＦＦとを切り替える第２の操作部とを含み、
前記制御部は、前記室内機の前記電源が前記ＯＦＦである場合に前記第２の操作部によって前記モードＯＮの操作がされたとき、前記操作ロックモードを実行する
リモートコントローラ。
【請求項６】
前記操作部は、前記室内機が実行する第１の運転モードと、前記室内機が実行し、前記第１の運転モードとは異なる第２の運転モードとを切り替える第３の操作部を更に含み、
前記操作ロックモードでは、前記第３の操作部で受け付ける操作のみを無効にする
請求項５に記載のリモートコントローラ。
【請求項７】
表示部を更に備え、
前記表示部は、前記操作ロックモードの実行中に、前記第３の操作部の操作がされたとき、前記操作ロックモードが前記モードＯＮである旨を表示する
請求項６に記載のリモートコントローラ。
【請求項８】
前記制御部は、前記室内機の前記電源が前記ＯＮである場合に前記第２の操作部によって前記モードＯＮの操作がされたとき、前記操作ロックモードを実行しない
請求項５〜７のいずれか一項に記載のリモートコントローラ。
【発明の詳細な説明】
【技術分野】
【０００１】
本発明は、空気調和装置及びリモートコントローラに関し、特に、操作部が設けられているリモートコントローラを備えた空気調和装置、及び、操作部が設けられているリモートコントローラに関する。
【背景技術】
【０００２】
空気調和装置の室内機と通信するリモコンには、誤操作を防止するため、リモコンの操作部の操作を無効にするロック機能を備えているものが提案されている（例えば、特許文献１参照）。特許文献１に記載のリモコンには、リモコンのボタンをロックするロックモードを実行する際に押すロックボタンが備えられている。
【先行技術文献】
【特許文献】
【０００３】
【特許文献１】特開２０１３−７２６０１号公報
【発明の概要】
【発明が解決しようとする課題】
【０００４】
リモコンには通常、複数のボタンが設けられている。このため、ユーザーは、リモコンを操作するときに、誤操作する場合がある。例えば、ユーザーがリモコンのロックボタンを押そうとしているときに、誤って、空気調和装置の運転モードの切替ボタンを押してしまう場合がある。室内機の電源がＯＮしている状況下であれば、リモコンのボタンの誤操作がされると、運転モードが変わってしまう。つまり、室内機の電源がＯＮしている状況下で、ユーザーがロックボタンを押すことを意図していたのにユーザーがロックボタン以外のボタンを押してしまう場合がある。この場合には、室内機の電源がＯＮしているので、押されたボタンの種類によっては、例えば空気調和装置の運転内容が変わってしまう等の不便を生じる。【０００５】
本発明は、上記のよう課題を解決するためになされたもので、利便性を向上させることができる空気調和装置及びリモートコントローラを提供することを目的としている。
【課題を解決するための手段】
【０００６】
本発明に係る空気調和装置は、室内機と、室内機と通信するリモートコントローラと、を備え、リモートコントローラは、操作を受け付ける操作部と、操作部で受け付ける操作を無効にする操作ロックモードを実施する制御部とを含み、操作部は、室内機の電源のＯＮとＯＦＦとを切り替える第１の操作部と、操作ロックモードのモードＯＮとモードＯＦＦとを切り替える第２の操作部とを含み、制御部は、室内機の電源がＯＦＦである場合に第２の操作部によってモードＯＮの操作がされたとき、操作ロックモードを実行する。
【発明の効果】
【０００７】
本発明に係る空気調和装置は、上記構成を備えているので、利便性を向上させることができる。
【図面の簡単な説明】
【０００８】
【図１】（ａ）が実施の形態に係る空気調和装置１０２の冷媒回路を示し、（ｂ）が実施の形態に係る空気調和装置１０２の室内機１００及び室外機１０１の模式図である。
【図２】実施の形態に係る空気調和装置１０２の室内機１００及びリモートコントローラ５０の模式図である。
【図３】（ａ）が図２に示すリモートコントローラ５０の拡大図であり、（ｂ）がリモートコントローラ５０の表示部５２に表示されるアイコン５２Ａの説明図である。
【図４】実施の形態に係る空気調和装置１０２の制御装置Ｃｎｔの機能ブロック図である。
【図５】実施の形態に係る空気調和装置１０２の制御装置Ｃｎｔの制御部６２の機能ブロック図である。
【図６】実施の形態に係る空気調和装置１０２の制御フローチャートである。
【図７】図６のステップＳ２又はステップＳ３から移行する制御フローチャートである。
【発明を実施するための形態】
【０００９】
実施の形態．
以下、図面を適宜参照しながら本発明の実施の形態について説明する。なお、以下の図面では各構成部材の大きさの関係が実際のものとは異なる場合がある。また、以下の図面において、同一の符号を付したものは、同一又はこれに相当するものであり、このことは明細書の全文において共通することとする。さらに、明細書全文に表わされている構成要素の形態は、あくまでも例示であって、これらの記載に限定されるものではない。
【００１０】
［全体構成説明］
図１は、（ａ）が実施の形態に係る空気調和装置１０２の冷媒回路を示し、（ｂ）が実施の形態に係る空気調和装置１０２の室内機１００及び室外機１０１の模式図である。
図２は、実施の形態に係る空気調和装置１０２の室内機１００及びリモートコントローラ５０の模式図である。
なお、図１（ａ）の実線矢印は暖房運転モードを実行しているときの冷媒の流れ方向を示し、点線矢印は冷房運転モードを実行しているときの冷媒の流れ方向を示している。
【００１１】
空気調和装置１０２は、空調対象空間（たとえば、家屋の部屋、倉庫、ビルの一室等）に空調空気を供給する室内機１００と、圧縮機１及び絞り装置４等が搭載された室外機１０１とを有している。そして、室内機１００と室外機１０１とが冷媒配管Ｒｐで接続されている。
【００１２】
室内機１００は、空気吸込口３１Ａ及び空気吹出口３１Ｂが設けられている筐体３０を備えている。また、室内機１００は、空調対象空間（たとえば、部屋、倉庫及びビルの一室等）に空気を供給する送風ファン５Ａと、冷媒が供給される室内熱交換器５とを備えている。筐体３０内には、送風ファン５Ａ及び室内熱交換器５が設けられている。また、室内機１００は、リモートコントローラ５０と、リモートコントローラ５０から出力される信号を受信する受信部３２とを備えている。リモートコントローラ５０は室内機１００と無線で通信する態様を一例として説明するが、リモートコントローラ５０は室内機１００と優先で接続された態様であってもよい。
【００１３】
室外機１０１は、たとえば、屋外及びビルの屋上等に設置されるものである。室外機１０１は、冷媒を圧縮する圧縮機１と、圧縮機１に接続されている四方弁２と、暖房運転モードを実行しているときに蒸発器として機能し、冷媒運転モードを実行しているときに凝縮器（放熱器）として機能する室外熱交換器３とを備えている。また、室外機１０１は、室外熱交換器３に付設され、室外熱交換器３に空気を供給する送風ファン３Ａと、冷媒を減圧する絞り装置４とを備えている。
【００１４】
［リモートコントローラ５０の詳細説明］
図３は、（ａ）が図２に示すリモートコントローラ５０の拡大図であり、（ｂ）がリモートコントローラ５０の表示部５２に表示されるアイコン５２Ａの説明図である。
図４は、実施の形態に係る空気調和装置１０２の制御装置Ｃｎｔの機能ブロック図である。
図５は、実施の形態に係る空気調和装置１０２の制御装置Ｃｎｔの制御部６２の機能ブロック図である。
【００１５】
リモートコントローラ５０は、筐体５１と、表示部５２とを備えている。リモートコントローラ５０は、ユーザーからの操作を受け付ける操作部Ｂｔを備えている。操作部Ｂｔは、空調対象空間の設定温度を上げる温度上昇ボタン５３Ａと、空調対象空間の設定温度を下げる温度下降ボタン５３Ｂとを含む。また、操作部Ｂｔは、空気調和装置１０２の室内機１００の電源のＯＮとＯＦＦとを切り替える電源ボタン５４と、第１の運転モードと第１の運転モードとは異なる第２の運転モードとを切り替える切替ボタン５５とを含む。第１の運転モードは例えば暖房運転モード及び冷房運転モードのうちの一方であり、第２の運転モードは例えば暖房運転モード及び冷房運転モードのうちの他方である。リモートコントローラ５０は、制御装置Ｃｎｔを備えている。電源ボタン５４は、本発明の第１の操作部に対応する。切替ボタン５５は、本発明の第３の操作部に対応する。
【００１６】
筐体５１には、表示部５２、温度上昇ボタン５３Ａ、温度下降ボタン５３Ｂ、電源ボタン５４及び切替ボタン５５が設けられている。また、筐体５１は、制御装置Ｃｎｔを内蔵している。
【００１７】
表示部５２は、空調対象空間の設定温度、及び実行している運転モード等の情報が表示される。図３（ｂ）に示すように、表示部５２は、運転モードを示す複数のアイコン５２Ａを表示することができる。第１の運転モードのアイコン５２Ａの形と第２の運転モードのアイコン５２Ａの形は異なっている。空気調和装置１０２が第１の運転モードを実行すると、第１の運転モードに対応するアイコン５２Ａが表示される。ユーザーは、表示部５２に表示されるアイコン５２Ａを目視することで、空気調和装置１０２がどのような運転モードを実行しているかを知ることができる。
【００１８】
制御装置Ｃｎｔは、各種の情報を記憶する記憶部６０と、室内機１００の受信部３２に運転モード等に関わる指示信号を送信する送信部６１と、各種の演算を行う制御部６２とを備えている。送信部６１は、例えば、送信回路及び赤外線を発する発信部等から構成することができる。
【００１９】
制御部６２は、操作部Ｂｔで受け付ける操作を無効にする操作ロックモードを実行する機能を有している。操作ロックモードを実行していないモードは、通常操作モードである。制御部６２は、操作ロックモードと通常操作モードとを切り替えることができる。
操作ロックモードは、空気調和装置１０２の電源がＯＮしている状況下で、ユーザーが操作部Ｂｔのうちの特定のボタンを押しても、リモートコントローラ５０から室内機１００へ指示信号を送信しないようにする、モードである。
通常操作モードから操作ロックモードへ移行する条件には、（１）ユーザーが操作部Ｂｔに予め定められた操作を実施しているという第１の条件と、（２）空気調和装置１０２の電源がＯＦＦになっているという第２の条件とがある。
（１）予め定められた操作には、例えば、温度上昇ボタン５３Ａ及び切替ボタン５５の両方を、同時に２秒以上継続して押す操作を採用することができる。この場合には、温度上昇ボタン５３Ａ及び切替ボタン５５が本発明の第２の操作部に対応する。予め定められた操作はここで説明した態様に限定されるものではない。
（２）空気調和装置１０２の電源がＯＦＦになっている状態は、室内機１００の電源がＯＦＦになっている状態である。この状態では、空気調和装置１０２のアクチュエータは停止している。つまり、この状態では、圧縮機１は停止し、送風ファン３Ａが停止し、及び、送風ファン５Ａが停止している。
【００２０】
なお、実施の形態では、操作ロックモードから通常操作モードへ移行する条件も、上述の第１の条件及び第２の条件と同様とする。操作ロックモードから通常操作モードへ移行する条件とは、操作ロックモードを解除する条件を指している。
【００２１】
制御部６２は、判定部６２Ａと、送信制御部６２Ｂと、操作ロック部６２Ｃと、表示制御部６２Ｄとを備えている。
【００２２】
判定部６２Ａは、操作部Ｂｔの操作があったか否かを判定する機能を有している。また、判定部６２Ａは、温度上昇ボタン５３Ａ及び切替ボタン５５の両方を、同時に２秒以上継続して押す操作があったか否かを判定する機能を有している。また、判定部６２Ａは、空気調和装置１０２（室内機１００）の電源がＯＦＦなっているか否かを判定する機能を有する。また、判定部６２Ａは、操作ロックモードを実行しているか否かを判定する機能を有している。つまり、判定部６２Ａは、操作ロックモードがモードＯＮであるか否かを判定する機能を有している。更に、判定部６２Ａは、操作された操作部Ｂｔのボタンが操作ロックモードのロック対象となっているボタンであるか否かを判定する機能を有している。
【００２３】
送信制御部６２Ｂは、送信部６１に予め定められた指示信号を送信させる機能を有している。通常操作モードを実行している場合には、ユーザーが温度上昇ボタン５３Ａを操作すると、送信制御部６２Ｂは、空調対象空間の設定温度を上げるための指示信号を受信部３２へ送信する指示を、送信部６１に行う。
【００２４】
操作ロック部６２Ｃは、操作ロックモードのロック対象となっているボタンの操作を無効にする機能を有している。このボタンの操作を無効にする機能が働いている状態が、操作ロックモードがモードＯＮになっている状態である。一方、このボタンの操作を無効にする機能が働いていない状態が、操作ロックモードがモードＯＦＦになっている状態である。例えば、切替ボタン５５が操作ロックモードのロック対象となっているとする。この場合には、室内機１００の電源がＯＮとなっているときに、ユーザーが切替ボタン５５を押しても、送信部６１から受信部３２へ指示信号が送信されない。具体的には、ユーザーが切替ボタン５５を押したとしても、送信制御部６２Ｂは、運転モードの切替に関わる指示信号を受信部３２へ送信する指示を、送信部６１に行わない。これにより、ロック対象となっている切替ボタン５５の操作が無効になる。操作ロック部６２Ｃは、ボタンの操作を無効にする機能が解除されるまで、操作ロックモードのロック対象となっているボタンの操作を無効にする機能を維持する。
【００２５】
操作ロックモードのロック対象となるボタンについて説明する。リモートコントローラ５０の全てのボタンが、操作ロックモードのロック対象となるボタンである必要はない。例えば、空調対象空間の設定温度の変更は、運転モードの切替と比較すると、頻繁に行われる。また、空調対象空間の設定温度の変更が誤って実施された場合は、運転モードの切替が誤って実施された場合と比較すると、ユーザーの快適性への影響が小さい。これらを踏まえ、頻繁に使用されないボタンであって、誤操作があったときにユーザーへの快適性への影響が大きいボタンを、操作ロックモードのロック対象となるボタンとするとよい。具体的には、操作ロックモードのロック対象となるボタンは、切替ボタン５５（第３の操作部）のみとするとよい。これにより、ユーザーの利便性を更に向上させるとともに、ユーザーの誤操作によってユーザーの快適性が損なわれることを回避することができる。
【００２６】
表示制御部６２Ｄは、空気調和装置１０２が実施している運転モード等の情報を表示部５２に表示させる機能を有している。例えば、表示制御部６２Ｄは、図３（ａ）で説明したアイコン５２Ａを表示部５２に表示させる指示をする。ユーザーがリモートコントローラ５０に上述の予め定められた操作を行い、通常操作モードから操作ロックモードへ移行すると、表示制御部６２Ｄは、操作ロックモードのロック対象に係る情報をユーザーに報知する。例えば、操作ロックモードのロック対象となるボタンが切替ボタン５５である場合について説明する。室内機１００は操作ロックモードに移行する直前に実施した運転モードを記憶している。このため、ユーザーがリモートコントローラ５０の電源ボタン５４を操作すると、ユーザーが切替ボタン５５を操作しなくても、自動的に、室内機１００は記憶されている運転モード（以下、直前運転モードとも称する）の実行を開始する。ユーザーがリモートコントローラ５０に上述の予め定められた操作を行うと、表示制御部６２Ｄは、直前運転モードのアイコン５２Ａを点滅させる。点滅回数は、複数回であるとよい。これにより、ユーザーは、室内機１００の電源をＯＮした後に実行される運転モードが、点滅しているアイコン５２Ａの運転モードであることを知ることができる。また、ユーザーは通常操作モードから操作ロックモードへ移行が完了したことを知ることができる。
【００２７】
表示制御部６２Ｄは、操作ロックモードの実行中に、ロック対象となっているボタンの操作がされたとき、操作ロックモードがモードＯＮである旨を表示してもよい。例えば、ロック対象となっているボタンが切替ボタン５５である場合に、ユーザーが切替ボタン５５を操作すると、表示制御部６２Ｄは、運転モードを示すアイコン５２Ａを点滅する。点滅回数は、複数回であるとよい。これにより、ユーザーは切替ボタン５５の操作がロックされていることを知ることができる。
【００２８】
なお、制御装置Ｃｎｔは、例えば、専用のハードウエア、又はメモリに格納されるプログラムを実行するＣＰＵ（Ｃｅｎｔｒａｌ  Ｐｒｏｃｅｓｓｉｎｇ  Ｕｎｉｔ、中央処理装置、処理装置、演算装置、マイクロプロセッサ、マイクロコンピュータ、プロセッサ等ともいう）で構成される。制御装置Ｃｎｔが専用のハードウエアである場合には、制御装置Ｃｎｔは、例えば、単一回路、複合回路、ＡＳＩＣ（ａｐｐｌｉｃａｔｉｏｎ  ｓｐｅｃｉｆｉｃ  ｉｎｔｅｇｒａｔｅｄ  ｃｉｒｃｕｉｔ）、ＦＰＧＡ（ｆｉｅｌｄ−ｐｒｏｇｒａｍｍａｂｌｅ  ｇａｔｅ  ａｒｒａｙ）、またはこれらを組み合わせたものが該当する。制御装置Ｃｎｔが実現する各機能部のそれぞれを、個別のハードウエアで実現してもよいし、各機能部を一つのハードウエアで実現してもよい。制御装置ＣｎｔがＣＰＵの場合には、制御装置Ｃｎｔが実行する各機能は、ソフトウエア、ファームウエア、又はソフトウエアとファームウエアとの組み合わせにより実現される。ソフトウエアやファームウエアはプログラムとして記述され、メモリに格納される。ＣＰＵは、メモリに格納されたプログラムを読み出して実行することにより、制御装置Ｃｎｔの各機能を実現する。ここで、メモリは、例えば、ＲＡＭ、ＲＯＭ、フラッシュメモリ、ＥＰＲＯＭ、ＥＥＰＲＯＭ等の不揮発性又は揮発性の半導体メモリを採用することができる。なお、制御装置Ｃｎｔの機能の一部を専用のハードウエアで実現し、一部をソフトウエア又はファームウエアで実現するようにしてもよい。
【００２９】
［リモートコントローラ５０の操作例］
操作ロックモードのロック対象となるボタンが、切替ボタン５５のみである場合のユーザーの操作例について説明する。操作ロックモードを実行しているときに、ユーザーが実行したいと考えている運転モードが暖房運転モードであるとする。この場合には、ユーザーは、室内機１００の電源がＯＮであるときに、リモートコントローラ５０を操作して暖房運転モードの実行指示を室内機１００にする。そして、空気調和装置１０２が暖房運転モードを実行している状態で、ユーザーは、リモートコントローラ５０の電源ボタン５４を押して、室内機１００の電源をＯＦＦにする。ここで、制御装置Ｃｎｔの記憶部６０には、電源をＯＦＦしたときに実行していた運転モードが記憶される。この記憶される運転モードが直前運転モードである。再び、室内機１００の電源がＯＮされた場合に、室内機１００が実行する運転モードは、記憶部６０に記憶されている直前運転モードである。
【００３０】
室内機１００の電源をＯＦＦであるときに、ユーザーは温度上昇ボタン５３Ａ及び切替ボタン５５に予め定められた操作をする。これにより、通常操作モードから操作ロックモードに移行する。ユーザーは電源ボタン５４を再び押すと、室内機１００の電源がＯＮとなり、空気調和装置１０２は、直前運転モードである暖房運転モードを開始する。ユーザーが切替ボタン５５を押しても、リモートコントローラ５０は操作ロックモードを実行しているので、指示信号がリモートコントローラ５０から室内機１００へ出力されることはない。一方、ユーザーが例えば温度上昇ボタン５３Ａを操作すると、温度上昇ボタン５３Ａはロック対象のボタンではないので、指示信号がリモートコントローラ５０から室内機１００へ出力される。
【００３１】
［実施の形態の制御フローの説明］
図６は、実施の形態に係る空気調和装置１０２の制御フローチャートである。
図７は、図６のステップＳ２又はステップＳ３から移行する制御フローチャートである。
【００３２】
（ステップＳ１：操作部Ｂｔの操作判定）
制御部６２の判定部６２Ａは、操作部Ｂｔの操作があったか否かを判定する。操作部Ｂｔの操作があった場合には、ステップＳ２に進む。操作部Ｂｔの操作がなかった場合には、ステップＳ１に戻る。
【００３３】
（ステップＳ２：操作部Ｂｔの操作内容の判定１）
制御部６２の判定部６２Ａは、ステップＳ１の操作部Ｂｔの操作が、予め定められた操作であるか否かを判定する。予め定められた操作には、上述の通り、例えば、温度上昇ボタン５３Ａ及び切替ボタン５５の両方を、同時に２秒以上継続して押す操作を採用することができる。ステップＳ１の操作部Ｂｔの操作が、予め定められた操作である場合にはステップＳ３に進む。ステップＳ１の操作部Ｂｔの操作が、予め定められた操作以外の操作である場合には、図７のステップＳ２−１に進む。ステップＳ２は、上述の第１の条件に係る判定をしている。
【００３４】
（ステップＳ３：室内機１００の電源ＯＦＦの判定）
制御部６２の判定部６２Ａは、空気調和装置１０２（室内機１００）の電源がＯＦＦであるか否かを判定する。空気調和装置１０２（室内機１００）の電源がＯＦＦである場合にはステップＳ４に進む。空気調和装置１０２（室内機１００）の電源がＯＮである場合には、図７のステップＳ２−１に進む。ステップＳ３は、上述の第２の条件に係る判定をしている。
【００３５】
（ステップＳ４：操作ロックモードの実行中であるか否かの判定）
制御部６２の判定部６２Ａは、操作ロックモードを実行中であるか否かを判定する。操作ロックモードを実行中である場合には、ステップＳ５に進む。操作ロックモードを実行しておらず、通常操作モードを実行中である場合には、ステップＳ６に進む。
【００３６】
（ステップＳ５：操作ロックモードの実行）
制御部６２の操作ロック部６２Ｃは、操作ロックモードのロック対象となっているボタンの操作を無効にする機能を発揮する。
【００３７】
（ステップＳ６：操作ロックモードの解除）
制御部６２の操作ロック部６２Ｃは、操作ロックモードのロック対象となっているボタンの操作を無効にする機能を解除する。
【００３８】
（ステップＳ２−１：操作ロックモードの実行中であるか否かの判定）
制御部６２の判定部６２Ａは、操作ロックモードを実行中であるか否かを判定する。操作ロックモードを実行中である場合には、ステップＳ２−２に進む。操作ロックモードを実行しておらず、通常操作モードを実行中である場合には、ステップＳ２−４に進む。
【００３９】
（ステップＳ２−２：操作部Ｂｔの操作内容の判定２）
制御部６２の判定部６２Ａは、ステップＳ１の操作部Ｂｔの操作が、操作ロックモードのロック対象となっているボタンの操作であるか否かを判定する。操作ロックモードのロック対象となっているボタンの操作である場合には、ステップＳ２−３に進む。操作ロックモードのロック対象となっているボタン以外のボタンの操作である場合には、ステップＳ２−４に進む。
【００４０】
（ステップＳ２−３：操作無効）
制御部６２はステップＳ１の操作を無効とする。例えば、操作ロックモードの対象となっているボタンが切替ボタン５５であり、且つ、ステップＳ１の操作部Ｂｔの操作が切替ボタン５５の操作である場合には、制御部６２は送信部６１から受信部３２へ指示信号が出力されないようにする。
【００４１】
（ステップＳ２−４：操作有効）
制御部６２はステップＳ１の操作を有効とする。例えば、操作ロックモードの対象となっているボタンが切替ボタン５５であり、且つ、ステップＳ１の操作部Ｂｔの操作が温度上昇ボタン５３Ａの操作である場合には、制御部６２はこの温度上昇ボタン５３Ａの操作を有効とする。これにより、送信部６１は受信部３２へ空調対象空間の設定温度を上げる指示信号を出力する。
【００４２】
［実施の形態の効果］
制御部６２は、室内機１００の電源がＯＦＦである場合に第２の操作部によって操作ロックモードのモードＯＮの操作がされたとき、操作ロックモードを実行する。室内機１００の電源がＯＦＦである場合には、ユーザーが第２の操作部以外の操作部を誤って操作したとしても、空気調和装置の運転内容等が変わってしまうことがない。このため、ユーザーの利便性を向上させることができる。実施の形態では、第２の操作部は、温度上昇ボタン５３Ａ及び切替ボタン５５である。
【００４３】
リモートコントローラ５０の操作部Ｂｔは、複数の運転モードに含まれる第１の運転モードと、複数の運転モードに含まれ、第１の運転モードとは異なる第２の運転モードとを切り替える第３の操作部を更に含む。そして、操作ロックモードでは、第３の操作部で受け付ける操作のみを無効にする。例えば、空調対象空間の設定温度の変更は、運転モードの切替と比較すると、頻繁に行われる。また、空調対象空間の設定温度の変更が誤って実施された場合は、運転モードの切替が誤って実施された場合と比較すると、ユーザーの快適性への影響が小さい。このため、操作ロックモードでは、第３の操作部で受け付ける操作のみを無効にすることで、ユーザーの利便性を更に向上させるとともに、ユーザーの誤操作によってユーザーの快適性が損なわれることを回避することができる。
【００４４】
リモートコントローラ５０は、表示部５２を更に含み、表示部５２は、操作ロックモードの実行中に、第３の操作部の操作がされたとき、操作ロックモードがモードＯＮである旨を表示する。これにより、ユーザーは第３の操作部の操作がロックされていることを知ることができる。
【００４５】
制御部６２は、室内機１００の電源がＯＮである場合に第２の操作部によって操作ロックモードのモードＯＮの操作がされたとき、操作ロックモードを実行しない。ユーザーは、室内機１００の電源がＯＮである場合には、操作ロックモードを実行できないと予め把握している。このため、室内機１００は、電源がＯＮである場合に操作ロックモードのモードＯＮの操作がされてしまうことを回避しやすくなっている。
【符号の説明】
【００４６】
１  圧縮機、２  四方弁、３  室外熱交換器、３Ａ  送風ファン、４  絞り装置、５  室内熱交換器、５Ａ  送風ファン、３０  筐体、３１Ａ  空気吸込口、３１Ｂ  空気吹出口、３２  受信部、５０  リモートコントローラ、５１  筐体、５２  表示部、５２Ａ  アイコン、５３Ａ  温度上昇ボタン、５３Ｂ  温度下降ボタン、５４  電源ボタン、５５  切替ボタン、６０  記憶部、６１  送信部、６２  制御部、６２Ａ  判定部、６２Ｂ  送信制御部、６２Ｃ  操作ロック部、６２Ｄ  表示制御部、１００  室内機、１０１  室外機、１０２  空気調和装置、Ｂｔ  操作部、Ｃｎｔ  制御装置、Ｒｐ  冷媒配管。
【図１】
2018163313.tif 000003
【図２】
2018163313.tif 000004
【図３】
2018163313.tif 000005
【図４】
2018163313.tif 000006
【図５】
2018163313.tif 000007
【図６】
2018163313.tif 000008
【図７】
2018163313.tif 000009
【手続補正書】
【提出日】令和1年6月13日(2019.6.13)
【手続補正１】
【補正対象書類名】明細書
【補正対象項目名】０００６
【補正方法】変更
【補正の内容】
【０００６】
本発明に係る空気調和装置は、複数の運転モードを実行する室内機と、室内機と通信するリモートコントローラと、を備え、リモートコントローラは、操作を受け付ける操作部と、操作部で受け付ける操作を無効にする操作ロックモードを実施する制御部とを含み、操作部は、室内機の電源のＯＮとＯＦＦとを切り替える第１の操作部と、操作ロックモードのモードＯＮとモードＯＦＦとを切り替える第２の操作部と、複数の運転モードに含まれる第１の運転モードと、複数の運転モードに含まれ、第１の運転モードとは異なる第２の運転モードと、を切り替える第３の操作部と、を含み、制御部は、室内機の電源がＯＦＦである場合に第２の操作部によってモードＯＮの操作がされたとき、操作ロックモードを実行し、操作ロックモードにおいて第３の操作部で受け付ける操作のみを無効にする。
【手続補正２】
【補正対象書類名】特許請求の範囲
【補正対象項目名】全文
【補正方法】変更
【補正の内容】
【特許請求の範囲】
【請求項１】
複数の運転モードを実行する室内機と、
前記室内機と通信するリモートコントローラと、
を備え、
前記リモートコントローラは、操作を受け付ける操作部と、前記操作部で受け付ける操作を無効にする操作ロックモードを実施する制御部とを含み、
前記操作部は、
前記室内機の電源のＯＮとＯＦＦとを切り替える第１の操作部と、
前記操作ロックモードのモードＯＮとモードＯＦＦとを切り替える第２の操作部と、
前記複数の運転モードに含まれる第１の運転モードと、前記複数の運転モードに含まれ、前記第１の運転モードとは異なる第２の運転モードと、を切り替える第３の操作部と、を含み、
前記制御部は、前記室内機の前記電源が前記ＯＦＦである場合に前記第２の操作部によって前記モードＯＮの操作がされたとき、前記操作ロックモードを実行し、前記操作ロックモードにおいて前記第３の操作部で受け付ける操作のみを無効にする
空気調和装置。
【請求項２】
前記リモートコントローラは、表示部を更に含み、
前記表示部は、前記操作ロックモードの実行中に、前記第３の操作部の操作がされたとき、前記操作ロックモードが前記モードＯＮである旨を表示する
請求項１に記載の空気調和装置。
【請求項３】
前記制御部は、前記室内機の前記電源が前記ＯＮである場合に前記第２の操作部によって前記モードＯＮの操作がされたとき、前記操作ロックモードを実行しない
請求項１または２に記載の空気調和装置。
【請求項４】
複数の運転モードを実行する室内機と通信するリモートコントローラであって、
操作を受け付ける操作部と、
前記操作部で受け付ける操作を無効にする操作ロックモードを実施する制御部と、
を備え、
前記操作部は、前記室内機の電源のＯＮとＯＦＦとを切り替える第１の操作部と、
前記操作ロックモードのモードＯＮとモードＯＦＦとを切り替える第２の操作部と、
前記複数の運転モードに含まれる第１の運転モードと、前記複数の運転モードに含まれ、前記第１の運転モードとは異なる第２の運転モードと、を切り替える第３の操作部と、を含み、
前記制御部は、前記室内機の前記電源が前記ＯＦＦである場合に前記第２の操作部によって前記モードＯＮの操作がされたとき、前記操作ロックモードを実行し、前記操作ロックモードにおいて前記第３の操作部で受け付ける操作のみを無効にする
リモートコントローラ。
【請求項５】
表示部を更に備え、
前記表示部は、前記操作ロックモードの実行中に、前記第３の操作部の操作がされたとき、前記操作ロックモードが前記モードＯＮである旨を表示する
請求項４に記載のリモートコントローラ。
【請求項６】
前記制御部は、前記室内機の前記電源が前記ＯＮである場合に前記第２の操作部によって前記モードＯＮの操作がされたとき、前記操作ロックモードを実行しない
請求項４または５に記載のリモートコントローラ。
【国際調査報告】
2018163313.tif 000010
2018163313.tif 000011